【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】  対象物と遠隔インタラクションを行なう装置であって、
対象物から情報を得るリモート局と、
リモート局に対してエネルギーを空間に送信すると共に、該リモート局と通信を行なう基地局と、
基地局と協同して機能し、リモート局と信号の送受信を行なう第１アンテナ手段と、
リモート局と協同して機能し、第１アンテナ手段と信号の送受信を行なう第２アンテナ手段と具えており、
基地局は、エネルギーをＲＦ電力として送信するための手段を具えており、
リモート局は、送信されたエネルギーを受信し、受信したエネルギーをリモート局にエネルギーを供給するための変換手段を具えており、
リモート局には、基地局からリモート局へのエネルギー送信が終了した後にリモート局にエネルギーを供給するための電力貯蔵装置が設けられていない遠隔インタラクション装置。
【請求項２】  基地局にエネルギーを供給するための電源を含んでいる請求項１に記載の装置。
【請求項３】  基地局の動作を制御する第１制御器手段を含んでいる請求項２に記載の装置。
【請求項４】  第１制御器手段はマイクロプロセッサ手段を有している請求項３に記載の装置。
【請求項５】  リモート局は、送信されたエネルギーをＤＣ電力に変換する手段を有しており、リモート局に対して直接エネルギーを供給する請求項１に記載の装置。
【請求項６】  リモート局は、基地局から受信した情報を処理すると共に、基地局に対して情報を空間内に送信するための第２制御器手段を有している請求項５に記載の装置。
【請求項７】  対象物と遠隔インタラクションを行なう装置であって、
対象物から情報を得るリモート局と、
リモート局に対してエネルギーを空間に送信すると共に、該リモート局と通信を行なう基地局と、
基地局にエネルギーを供給するための電源と、
基地局の動作を制御する第１制御器手段と
基地局と協同して機能し、リモート局と信号の送受信を行なう第１アンテナ手段と、
リモート局と協同して機能し、第１アンテナ手段と信号の送受信を行なう第２アンテナ手段とを具えており、
リモート局は、送信されたエネルギーを受信し、受信したエネルギーをリモート局にエネルギーを供給するための変換手段を具えており、
リモート局には、基地局からリモート局へのエネルギー送信が終了した後にリモート局にエネルギーを供給するための電力貯蔵装置が設けられておらず、
基地局は、エネルギーをＲＦ電力として送信するための手段を具えており、
第１制御器手段は、マイクロプロセッサ手段を具えており、
リモート局が、送信されたエネルギーをＤＣ電力に変換する手段を有することで、該リモート局に対して直接エネルギーが供給され、
リモート局は、基地局から受信した空間内の情報を処理すると共に、基地局に対して情報を送信するための第２制御器手段を有しており、
第２制御器手段は、対象物を監視するセンサー手段からの情報を受信する手段を有している遠隔インタラクション装置。
【請求項８】  リモート局には、電力貯蔵装置が物理的に取り付けられていない請求項７に記載の装置。
【請求項９】  基地局とリモート局の間は、電線で接続されていない請求項７に記載の装置。
【請求項１０】  リモート局は、センサー手段によって測定されたパラメータの値を受信すると共に、前記パラメータの値を基地局に送信するためのトランスポンダを少なくとも１つ有している請求項７に記載の装置。
【請求項１１】  センサー手段は複数のセンサーを有しており、トランスポンダは、前記センサーの各々と協同して機能する請求項１０に記載の装置。
【請求項１２】  基地局は、トランスポンダを順番にインターロゲートする手段を有している請求項１１に記載の装置。
【請求項１３】  基地局は、電力信号とデータ信号の両信号をリモート局へ送信する請求項１２に記載の装置。
【請求項１４】  リモート局は、最大寸法が約５インチ×２インチ×１インチである請求項１０に記載の装置。
【請求項１５】  センサーは、ＥＫＧセンサーである請求項１１に記載の装置。
【請求項１６】  対象物と遠隔インタラクションを行なう装置であって、
対象物から情報を得るリモート局と、
リモート局に対してエネルギーを空間に送信すると共に、該リモート局と通信を行なう基地局と、
基地局にエネルギーを供給するための電源と、
基地局の動作を制御する第１制御器手段と
基地局と協同して機能し、リモート局と信号の送受信を行なう第１アンテナ手段と、
リモート局と協同して機能し、第１アンテナ手段と信号の送受信を行なう第２アンテナ手段とを具えており、
リモート局は、送信されたエネルギーを受信し、受信したエネルギーをリモート局にエネルギーを供給するための変換手段を具えており、
リモート局には、基地局からリモート局へのエネルギー送信が終了した後にリモート局にエネルギーを供給するための電力貯蔵装置が設けられておらず、
基地局は、エネルギーをＲＦ電力として送信するための手段を具えており、
第１制御器手段は、マイクロプロセッサ手段を具えており、
リモート局が、送信されたエネルギーをＤＣ電力に変換する手段を有することで、該リモート局に対して直接エネルギーが供給され、
リモート局は、基地局から受信した空間内の情報を処理すると共に、基地局に対して情報を送信するための第２制御器手段を有しており、
リモート局は、対象物と協同して機能するように構成され、対象物は患者である遠隔インタラクション装置。
【請求項１７】  センサー手段は、患者の体の状態又は体の機能を監視するための装置を有している請求項１６に記載の装置。
【請求項１８】  対象物と遠隔インタラクションを行なう装置であって、
対象物から情報を得るリモート局と、
リモート局に対してエネルギーを空間に送信すると共に、該リモート局と通信を行なう基地局とを具えており、
リモート局は、送信されたエネルギーを受信し、受信したエネルギーをリモート局にエネルギーを供給するための変換手段を具えており、
リモート局には、基地局からリモート局へのエネルギー送信が終了した後にリモート局にエネルギーを供給するための電力貯蔵装置が設けられておらず、
リモート局は、樹脂プラスチック材の内部に密封されている遠隔インタラクション装置。
【請求項１９】  リモート局は、ＲＦ電力を、ＤＣ電力又はＡＣ電力に変換する変換手段を有している請求項１８に記載の装置。
【請求項２０】  対象物と遠隔インタラクションを行なう装置であって、
対象物から情報を得るリモート局と、
リモート局に対してエネルギーを空間に送信すると共に、該リモート局と通信を行なう基地局とを具えており、
リモート局は、送信されたエネルギーを受信し、受信したエネルギーをリモート局にエネルギーを供給するための変換手段を具えており、
リモート局には、基地局からリモート局へのエネルギー送信が終了した後にリモート局にエネルギーを供給するための電力貯蔵装置が設けられておらず
基地局は、エネルギーをＲＦ電力として送信するための手段を具えており、
リモート局は、ホモポリマー、エラストマー及び二酸化珪素からなる群から選択される物質の内部に密封されている遠隔インタラクション装置。
【請求項２１】  対象物と遠隔インタラクションを行なう方法であって、
リモート局と基地局を協同して機能させるようにし、
基地局からリモート局に対してエネルギーを空間内で送信し、
エネルギーをＲＦ電力として送信し、
リモート局が受信したエネルギーを、リモート局を作動させるための電力に変換し、
基地局からのエネルギーの送信と該エネルギーの変換が終了した後、リモート局にエネルギーを供給するための電力貯蔵装置が取り付けられていなくても、リモート局と遠隔インタラクションを行なうことができ、
基地局とリモート局の間で通信を行なうためのアンテナ手段を使用する方法。
【請求項２２】  対象物と遠隔インタラクションを行なう方法であって、
リモート局と基地局を協同して機能させるようにし、
基地局からリモート局に対してエネルギーを空間内で送信し、
リモート局が受信したエネルギーを、リモート局を作動させるための電力に変換し、
基地局からのエネルギーの送信と該エネルギーの変換が終了した後、リモート局にエネルギーを供給するための電力貯蔵装置が取り付けられていなくても、リモート局と遠隔インタラクションを行なうことができ、
対象物は患者であり、
センサー手段によって患者を監視し、該センサー手段からの情報を、リモート局にある少なくとも１つのトランスポンダへ送達する方法。
【請求項２３】  電源により、基地局にエネルギーを供給することを含んでいる請求項２２に記載の方法。
【請求項２４】  送信されたエネルギーを、リモート局でＤＣ電力に変換することを含んでいる請求項２３に記載の方法。
【請求項２５】  送信されたエネルギーを、リモート局でＡＣ電力に変換することを含んでいる請求項２３に記載の方法。
【請求項２６】  患者の体の状態又は体の機能を監視するために使用することを含んでいる請求項２２に記載の方法。
【請求項２７】  基地局から２０フィート以内にリモート局を配置することを含んでいる請求項２２に記載の方法。
【請求項２８】  対象物と遠隔インタラクションを行なう方法であって、
リモート局と基地局を協同して機能させるようにし、
基地局からリモート局に対してエネルギーを空間内で送信し、
リモート局が受信したエネルギーを、リモート局を作動させるための電力に変換し、
基地局からのエネルギーの送信と該エネルギーの変換が終了した後、リモート局にエネルギーを供給するための電力貯蔵装置が取り付けられていなくても、リモート局と遠隔インタラクションを行なうことができ、
リモート局で複数のトランスポンダを使用し、
順次、トランスポンダをインターロゲートし、そこでの出力を基地局へ供給する方法。
【請求項２９】  対象物は患者であり、患者に用いることを含んでいる請求項２８に記載の方法。
【請求項３０】  送信されたエネルギーを、リモート局における唯一の電源として用いることを含んでいる請求項２８に記載の方法。
【請求項３１】  電力信号とデータ信号の両信号を基地局からリモート局へ送信することを含んでいる請求項２８に記載の方法。
【請求項３２】  リモート局から基地局に対してデータ信号を空間内で送信することを含んでいる請求項３１に記載の方法。
【請求項３３】  電力貯蔵装置を有しないリモート局を使用することを含んでいる請求項３２に記載の方法。
【請求項３４】  第１マイクロプロセッサ手段を用いて、基地局の動作を制御することを含んでいる請求項３３に記載の方法。
【請求項３５】  第２マイクロプロセッサ手段を用いて、リモート局を制御することを含んでいる請求項３４に記載の方法。
【請求項３６】  対象物を確認するために使用することを含んでいる請求項２８に記載の方法。
【請求項３７】  セキュリティシステムに使用することを含んでいる請求項３６に記載の方法。
【請求項３８】  対象物と遠隔インタラクションを行なう方法であって、
リモート局と基地局を協同して機能させるようにし、
基地局からリモート局に対してエネルギーを空間内で送信し、
リモート局が受信したエネルギーを、リモート局を作動させるための電力に変換し、
基地局からのエネルギーの送信と該エネルギーの変換が終了した後、リモート局にエネルギーを供給するための電力貯蔵装置が取り付けられていなくても、リモート局と遠隔インタラクションを行なうことができ、
電力信号とデータ信号の両信号を基地局からリモート局へ送信し、
リモート局から基地局に対してデータ信号を空間内で送信し、
電力貯蔵装置を有しないリモート局を使用し、
第１マイクロプロセッサ手段を用いて、基地局の動作を制御し、
第２マイクロプロセッサ手段を用いて、リモート局を制御し、
電気信号をトランスポンダへ発するセンサー手段を使用する方法。
【請求項３９】  基地局とリモート局の間で通信を行なうためのアンテナ手段を使用することを含んでいる請求項３８に記載の方法。
【請求項４０】  寸法が約５インチ×２インチ×１インチ以下のリモート局を作ることを含んでいる請求項３９に記載の方法。